(57)【特許請求の範囲】
【請求項１】
女性の乳房のための乳児口腔シミュレータであって、搾乳された乳汁用の収容室と、前記乳児口腔シミュレータを女性の乳房の少なくとも乳首の上に密に載着することができる柔軟な部分を有した搾乳カフとを備え、搾乳をもたらす手動の搾乳圧を乳首および隣接する領域に加えることができるように構成されている、乳児口腔シミュレータにおいて、
前記搾乳カフ（１２）は二重のカフとして形成されており、規定通りに使用した場合、前記収容室（９）を乳輪（１４）に対して密封する内側のシールカフ（１５）と、規定通りに使用した場合、前記乳児口腔シミュレータ（７）を前記乳房（８）上に機械的に固定する、シール機能を有しない固定カフ（１６）とが設けられており、前記収容室（９）は真空室として形成されていることを特徴とする、乳児口腔シミュレータ。
【請求項２】
前記固定カフ（１６）は、前記シールカフ（１５）よりも大きく、前記シールカフ（１５）を取り囲んでいる、請求項１記載の乳児口腔シミュレータ。
【請求項３】
前記収容室（９）は開口を有しており、前記開口には弁（１１）が、特に逆止弁が、特にリップ弁（１７）として形成されている逆止弁が、設けられている、請求項１または２記載の乳児口腔シミュレータ。
【請求項４】
前記収容室（９）を取り囲む補強リング（１８）が設けられている、請求項１から３までのいずれか１項記載の乳児口腔シミュレータ。
【請求項５】
前記乳児口腔シミュレータ（７）は２つの以上の部分から形成されている、請求項１から４までのいずれか１項記載の乳児口腔シミュレータ。
【請求項６】
前記柔軟な部分（１３）は、軟弾性的な材料から形成されている、請求項１記載の乳児口腔シミュレータ。
【請求項７】
前記乳児口腔シミュレータ（７）の部分は、互いに接続されている様々な材料からなる、請求項５または６記載の乳児口腔シミュレータ。
【請求項８】
前記収容室（９）に差し込み可能な乳首保護体（２１）が設けられている、請求項５から７までのいずれか１項記載の乳児口腔シミュレータ。
【請求項９】
前記乳首保護体（２１）は、真空室として形成された前記収容室（９）内に密に取り付けることができ、前記シールカフ（１５）が前記乳首保護体（２１）に接続されている、請求項８記載の乳児口腔シミュレータ。
【請求項１０】
前記収容室（９）の外面に突出スリーブ（１９）が設けられており、前記突出スリーブ内には指（１）の少なくとも一部を入れることができる、請求項１から９までのいずれか１項記載の乳児口腔シミュレータ。
【請求項１１】
指先（１）の代わりに前記突出スリーブ内に差し込むことができる、前記突出スリーブ（１９）よりも剛性の開放ホルダが設けられている、請求項１０記載の乳児口腔シミュレータ。
【請求項１２】
前記収容室（９）には捕捉容器（２２）が接続可能である、請求項１から１１までのいずれか１項記載の乳児口腔シミュレータ。
【請求項１３】
前記弁（１１）または第２の弁が、前記収容室（９）と前記捕捉容器（２２）との間に配置されている、請求項３を引用する請求項１２記載の乳児口腔シミュレータ。
【請求項１４】
前記捕捉容器（２２）には、特に手の関節に、または前腕に取り付けるためのアームバンド（２３）が設けられている、請求項１３記載の乳児口腔シミュレータ。
【請求項１５】
機械的なバイブレータを収容可能な収容ポケットが設けられている、請求項１から１４までのいずれか１項記載の乳児口腔シミュレータ。
【発明の詳細な説明】
【技術分野】
【０００１】
本発明は、搾乳された乳汁用の収容室を備えた、女性の乳房のための乳児口腔シミュレータに関する。この乳児口腔シミュレータはさらに、乳児口腔シミュレータを女性の乳房の上に密に載着することができる柔軟な部分を備えた搾乳カフを有している。この搾乳カフは、搾乳をもたらす手動の搾乳圧を乳首および隣接する領域に加えることができるように構成されている。
【０００２】
独国特許出願公開第１０２０１４１０３５６７号明細書により、女性の乳房のための乳汁取出しモジュールが公知である。このモジュールは、搾乳された乳汁用の捕捉容器を有している。前記明細書には、搾乳運動または搾乳圧を加える様々な方法が記載されている。様々な方法は、以下で「広げ指法」と呼ばれる「親指上側・指下側法」または「２〜１０本指法」、および以下で「立て指法」と呼ばれる「５本指法」である。どちらの方法によっても、乳汁の迅速かつ持続的な排出が生理学的に得られる。搾乳を行う方法ならびに乳汁取出しモジュールの作用および効果は、この明細書で詳しく説明されている。
【０００３】
この公知の乳汁取出しモジュールは、搾乳された乳汁用の開口を有する搾乳カフとして形成されている。搾乳カフは、この搾乳カフを女性の乳房の上に密に載着することができる柔軟な部分を有している。この場合、この搾乳カフは、搾乳をもたらす手動の搾乳圧を乳首および隣接する領域に加えることができるように構成されていて、開口には弁が配置されている。今や実際には、乳汁取出しモジュールによる搾乳の実施では、乳汁の一部が捕捉容器に到らず、負圧はしばしば失われていることが判明した。
【０００４】
本発明の課題は、女性の乳房の搾乳を手動で行う方法の効率を改善することである。この場合、特に手動の作用の改善、負圧のより長期の保持、および損失の防止によって、より短い時間で捕捉される乳汁量を増大することにより、効率は決まる。
【０００５】
この課題は請求項１に記載の特徴を備えた乳児口腔シミュレータにより解決される。請求項２から１５には特別な構成が記載されている。
【０００６】
冒頭で述べた形式の本発明による乳児口腔シミュレータでは、搾乳カフは二重のカフとして形成されており、規定通りに使用した場合、収容室を乳輪に対して密封する内側のシールカフと、規定通りに使用した場合、乳児口腔シミュレータを乳房上に機械的に固定する固定カフとが設けられており、収容室は真空室として形成されている。
【０００７】
このような乳児口腔シミュレータは、立て指法の使用にも広げ指法の使用にも適している。立て指法では、手の指先は、乳首に対して軸方向に保持され、これにより、収容室を取り囲む壁を通して、搾乳圧が乳首および隣接する領域に加えられる。広げ指法では、指は、乳首に対して半径方向に、または接線方向に保持される。収容室は、両方法で、外側から指によって変形させることができ、この場合、機械的な圧力の付与は、乳児の口腔内の空間による刺激に相当する。内側のシールカフはこの場合、収容室を乳房に対して密封した状態で、乳房の上に、特に乳輪の領域で載せられる。指の圧力により、収容室は圧縮され、収容室から空気が一部逃げ、負圧またはわずかな真空が形成される。これは、乳児の吸引に相当する。したがって、本発明による乳児口腔シミュレータにより、搾乳をもたらすための全ての重要な要因を、自然な形で、固有の感情的なフィードバックを伴いながら模倣することができる。
【０００８】
外側の固定カフは、シール機能を発揮する必要はない。むしろ外側の固定カフは、まず第１に、乳児口腔シミュレータを乳房上に載着し、機械的に固定するために機能する。したがって、例えば、片方の手で固定カフを乳房に押し付け、もう一方の手で搾乳運動を行うことができる。しかしながら両手で搾乳を行うこともでき、この場合は、指または母子球を固定カフに載せ、これにより乳児口腔シミュレータが機械的に固定される。
【０００９】
固定カフはシール機能を有する必要はなく、乳児口腔シミュレータを乳房上に固定するのが役割であるので、この役割を考慮した様々な形状を有することができる。しかしながら、１つの実施形態では、固定カフは、シールカフよりも大きく、シールカフを取り囲んでいる。
【００１０】
１つの構成では、収容室は開口を有しており、開口には弁が、特に逆止弁が、特にリップ弁として形成されている逆止弁が、設けられている。これにより、収容室内の空気は、収容室が圧縮されたとき弁を通って逃げることができる。弁が閉鎖されているときに、指が収容室を再び解放すると、収容室は、そのフレキシブルな材料ゆえに、もとの形状に戻ろうとし、これにより真空が生じる。このことは、逆止弁として構成されていることにより特に簡単に行うことができる。この場合、リップ弁としての実施形態は、使用される軟弾性的な材料のもとで、極めて容易に製作される実施形態である。
【００１１】
さらなる構成では、収容室を取り囲む補強リングが設けられている。このような補強リングは、乳首の周囲の空間を開放状態に維持するので、実質的に乳首を機械的に保護するために機能する。
【００１２】
乳児口腔シミュレータは、２つの部分から形成されていてもよい。これにより一方では、製造技術的に容易にすることができる。これにより他方では、様々な材料の使用が容易になる。
【００１３】
乳児口腔シミュレータは、柔軟な部分が、軟弾性的な材料からなるように形成されていてよい。このような材料は、収容室の変形およびシールを特に好適に可能にする。
【００１４】
本発明の別の構成では、乳児口腔シミュレータの部分が様々な材料からなる。したがって、軟弾性的な材料を剛性の材料と組み合わせることができる。
【００１５】
１つの構成では、収容室内に差込み可能な乳首保護体が設けられている。このような乳首保護体は、既に上述した補強リングと同様に、過剰に強力な搾乳運動から乳首を保護する。乳首保護リングは、補強リングに付加的に、または補強リングと択一的に、設けることができる。さらに後述するように、外側の突出スリーブを備えた、立て指法のために設けられている乳児口腔シミュレータでは、補強リングの取り付けが有利ではないので、乳首保護体は、特にこのような乳児口腔シミュレータにおいて使用可能である。
【００１６】
本発明の１つの構成では、乳首保護体を複数の機能のために使用することもできる。この場合、乳首保護体は、真空室内に密に取り付けることができ、シールカフが乳首保護体に接続されているように形成される。
【００１７】
乳児口腔シミュレータは、収容室の外面に突出スリーブが設けられるように構成されていてもよく、この突出スリーブ内には手の指の部分を入れることができる。このような突出スリーブは、指のための一種の手袋を形成する。この突出スリーブは、女性の乳房または乳輪を、片手または両手の指で収容室の壁を通して軽く取り囲むことができ、搾乳をもたらす手動の搾乳圧を乳輪および隣接する領域に指でかけることができるように形成されている。
【００１８】
この場合、突出スリーブは、手の少なくとも指先をその中に入れることができ、突出スリーブが収容室を取り囲むように形成されるのが望ましい。
【００１９】
広げ指法のためにも立て指法のためにも使用することができる乳児口腔シミュレータを形成するために、指先の代わりに突出スリーブ内に差し込むことができる、突出スリーブよりも剛性の開放ホルダが設けられている。このような開放ホルダなしでも、乳児口腔シミュレータは、立て指法のために使用可能である。開放ホルダが突出スリーブ内に接合されるならば、この装置は、広げ指法のためにも使用することができる。
【００２０】
１つの構成では、収容室には、捕捉容器を接続することができる。このような捕捉容器には、搾乳された乳汁が流入することができる。好適には、捕捉容器内には、収容室内と同じ圧力が存在しているので、乳汁は、弁またはポンプを介在することなく流出することができる。
【００２１】
収容室と捕捉容器との間に圧力の均衡性を形成することができない場合には、収容室と捕捉容器との間に弁または第２の弁が配置されている。
【００２２】
捕捉容器には、特に手の関節に、または前腕に取り付けるためのアームバンドが設けられていると好適であり得る。これにより、捕捉容器を快適に保持することができる。
【００２３】
機械的なバイブレータを収容可能な収容ポケットを乳児口腔シミュレータに接続することもできる。このようなバイブレータにより、機械的な振動を乳房に加えることができる。これにより、射乳反射ホルモンであるオキシトシンの分泌が補助される。
【００２４】
本発明を実施例につき以下に詳しく説明する。所属の図面は以下の通りである。
【図面の簡単な説明】
【００２５】
【図１】片手による広げ指法の適用を示す図である。
【図２】両手による広げ指法の適用を示す図である。
【図３】立て指法の適用を示す図である。
【図４】本発明による乳児口腔シミュレータの横断面図である。
【図５】図４による乳児口腔シミュレータの第１の斜視図である。
【図６】図４による乳児口腔シミュレータの第２の斜視図である。
【図７】図４による乳児口腔シミュレータの第３の斜視図である。
【図７ａ】様々な材料を含む複数の部分から成る構成として、図７に相当する図で乳児口腔シミュレータを示す図である。
【図７ｂ】瓶に差し込むためのフランジを備えた管片における開口の構成を示す図である。
【図７ｃ】排気開口を備えた、瓶に差し込むためのフランジを備えた管片における開口の構成を示す図である。
【図７ｄ】瓶にねじ込むためのフランジを備えた管片における開口の構成を示す図である。
【図８】突出スリーブを備えた乳児口腔シミュレータの第１の斜視図である。
【図９】突出スリーブを備えた乳児口腔シミュレータの第２の斜視図である。
【図１０】逆止弁の形の弁を示す図である。
【図１１】突出スリーブと乳首保護体とを備えた乳児口腔シミュレータの第１の斜視図である。
【図１２】突出スリーブと乳首保護体とを備えた乳児口腔シミュレータの第２の斜視図である。
【図１３】捕捉容器の配置を示す図である。
【図１４】図１５のアダプタで使用するための乳児口腔シミュレータの構成を示す断面図である。
【図１５】従来の搾乳ポンプの堅固な漏斗に装着された図１４の乳児口腔シミュレータを示す図である。
【図１６】公知のポンプセットの捕捉容器に乳児口腔シミュレータを接続するための差込みアダプタを備えた構成を示す図である。
【図１７】図１５に示したような従来の搾乳ポンプに接続するための、図１６に示した差込みアダプタを備えた構成を示す図である。
【図１８】少量の乳汁用の乳児口腔シミュレータを示す図である。
【００２６】
母乳の分泌に関して、母乳を乳房から出させる３つの作用が公知である。
【００２７】
Ａ）乳房自体で、血管を介して伝達されるオキシトシンの作用によって引き起こされる内圧が作用する。この場合、オキシトシンは、乳汁産生細胞（腺胞）を囲む小さな筋肉を即座に収縮させる。このような作用は、射乳反射とも呼ばれる。この作用は、リラックスすると同時に、温かく、不安や痛みのない状態での乳首の刺激、および母親の体の適切な全ての個所における優しいマッサージにより、最も強く引き起こされ、良い影響を受ける。以下で挙げる作用との重要な相違点は、腺胞が内部で圧縮されることによってのみ乳汁が流れるということである。オキシトシンがなければ、乳房が強く張っていて、強く吸引されたとしても、乳汁分泌はごく僅かしかない。
【００２８】
Ｂ）乳汁を乳房から出す別の作用は、女性の乳房に加えられる大きな機械的な圧力であり、このような方式が、酪農により公知であるような手動の搾乳の際の工程に似ていることから以下ではこれを搾乳圧と呼ぶ。一方では（バリエーションＢ１）、この圧力は、乳児が歯茎、舌、頬、および顎のつけねの助けにより、搾乳咀嚼運動を乳輪と乳首に加えることにより、乳児によって完全に自然に発生させることができる。他方では、乳児（バリエーションＢ１）による圧力に極めて似た圧力を、母親の（バリエーションＢ２）搾乳指運動によって、乳輪に加えることができる。バリエーションＢ２は、哺乳の際に、バリエーションＢ１に対して補助的に行うことができる。リズミカルに加えられるこのような搾乳圧は、作用する射乳反射（作用Ａ）と相まって、乳房全体を短時間で空にするのにそれだけで十分である。バリエーションＢ２では、乳頭先端全体にわたって最大２０個の乳管開口部が分配されており、乳汁はあらゆる方向に数メートルにわたって噴霧される可能性があるので、乳汁を捕捉する必要がある。
【００２９】
Ｃ）乳汁の分泌を引き起こす第３の公知の作用は、乳児によって乳房に加えられる負圧または吸引圧である。このような作用は、従来の搾乳ポンプで利用される。Ｂバリエーションの作用は、効果がないまたは殆ど効果がないので、最大３００ｍｍＨｇの負圧が使用され、これは乳房を損傷する恐れがある。しかしながら、乳児は、５５〜１５０ｍｍＨｇの負圧しか発生させない。
【００３０】
これら３つの作用Ａ、Ｂ、Ｃが、様々に作用し合って、乳汁の分泌に到ることができる。
【００３１】
乳児が直接乳房で哺乳する場合には、３つ全ての作用Ａ、Ｂ、Ｃが相互作用する。これは、作用Ａが作用すると、健康な乳児は、その吸引により作用Ｃをもたらし、同時に、歯茎、舌等によって上述したような作用Ｂ１をもたらすことを意味する。
【００３２】
乳児によらない搾乳のために、図１〜図３に様々な方法が示されている。これらの方法は、図１に示したような「親指上側・指下側法」、図２に示したような「２〜１０本指法」、図３に示したような「５本指法」である。図１および図２に示した方法は「広げ指法」と呼ばれ、図３に示した方法は「立て指法」と呼ばれる。どちらの方法によっても、乳汁の迅速かつ持続的な排出が生理学的に得られる。
【００３３】
広げ指法では、手２の指１は、乳首３に対して横方向に、すなわち、半径方向線４に対してほぼ平行に、または接線方向に、すなわち接線５に対してほぼ平行に保持される。立て指法では、手２の指先１は乳首３に対して軸方向に、すなわち軸線６に対してほぼ平行に保持され、これにより、収容室９を取り囲む壁２０を通して、搾乳圧が乳首３および隣接する領域に加えられる。収容室９は、両方法で、外側から指１によって変形させることができ、この場合、機械的な圧力の付与は、乳児の口唇および顎のつけねによる刺激に相当する。内側のシールカフ１５はこの場合、収容室９を乳房８に対して密封した状態で、乳房８の上に、特に乳輪１４の領域で載せられる。搾乳圧を加えることにより、収容室９は圧縮され、収容室から空気が一部逃げ、負圧またはわずかな真空が形成される。これは、乳児の吸引に相当する。したがって、本発明による乳児口腔シミュレータにより、搾乳をもたらすための全ての重要な要因を、自然な形で、固有の感情的なフィードバックを伴いながら模倣することができる。
【００３４】
図４〜図７に示したように、女性の乳房８用の乳児口腔シミュレータ７は、搾乳された乳汁用の収容室９を有している。収容室９には開口１０が設けられており、この開口は図１０に示されたように逆止弁として形成されている弁１１により閉鎖されている。
【００３５】
さらに、乳児口腔シミュレータ７には、柔軟な部分１３を有している搾乳カフ１２が設けられており、この搾乳カフで、乳児口腔シミュレータ７を女性の乳房８の少なくとも乳輪１４上に密に装着することができる。柔軟な部分１３は、さらに、搾乳をもたらす手動の搾乳圧が、女性の乳房８の少なくとも乳首３に、または乳輪１４にも加えられるように構成されている。
【００３６】
泌乳をもたらす手動の搾乳圧を女性の乳房８に加えることができるように、柔軟な部分１３を介して女性の乳房８は手２の指１で把持され、この場合、従来のポンプとは異なり、母親の指１によって、リズミカルで極めて正確に調量可能な搾乳圧を、乳輪１４または隣接する乳房範囲に加えることができ、神経の刺激と効果的な排出とをもたらす。これにより、乳汁の迅速かつ持続的な排出が生理学的に得られる。特に、乳汁による張りまたは乳汁の滞留の際に乳房８が腫れている場合には、滞留しているリンパ液を動かすために穏やかな圧力を乳輪１４に数分間軽く加えることもできる。加えられる搾乳圧によりさらに、同時に獲得することができる乳汁量が著しく高められる。これにより、十分頻繁に使用する場合には、時間が節約されるだけでなく、母親の乳汁産生のための潜在能力をほぼ完全に利用することができる。
【００３７】
図示したように、搾乳カフ１２は二重のカフとして形成されており、規定通りに使用した場合、収容室９を乳輪１４に対して密封する内側のシールカフ１５と、規定通りに使用した場合、乳児口腔シミュレータ７を乳房８上で機械的に固定する固定カフ１６とが設けられている。固定カフ１６は、シールカフ１５よりも大きく形成されていて、シールカフ１５を取り囲んでいる。
【００３８】
逆止弁１１または閉鎖キャップにより、収容室９は真空室として形成されている。
【００３９】
収容室９は、両方法で、外側から指１で変形させることができる。内側のシールカフ１５はこの場合、乳房８の上に、特に乳輪１４の領域に載着されている。変形により、収容室９は圧縮される。これにより、収容室９から空気が一部逃げ、負圧またはわずかな真空が形成される。
【００４０】
外側の固定カフ１６は、シール機能を発揮する必要はない。むしろ固定カフ１６は、手２または指１で、固定カフ１６を乳房８に押し付けることにより、機械的な固定をもたらす。乳児口腔シミュレータ７はこれにより位置固定される。
【００４１】
弁１１は逆止弁として形成されている。図１０に示したように、この弁は、シールリップ１７を有しており、このシールリップは、収容室９が圧縮された際に、逃げる空気により互いに離され、ひいては流出する空気のために通路を解放する。指１が収容室９を再び解放すると、収容室９は、そのフレキシブルな材料ゆえに、もとの形状に戻ろうとし、これにより真空が生じる。収容室９内に真空が生じると、外側からの空気圧はシールリップ１７を圧縮し、収容室９の開口１０は閉鎖される。
【００４２】
乳首３の機械的な保護のため、収容室９を取り囲む補強リング１８が設けられている。
【００４３】
図７ａには、乳児口腔シミュレータ７が、少なくとも２つの異なる材料から成っている構成が示されている。すなわち、図面で点描により示された第１の領域２４は、第２の領域２５よりも剛性的な材料から製作されている。
【００４４】
図７ｂには、管片２６における開口の構成が示されている。管片２６には、詳しくは図示されていないバッグに被せ嵌めるためのフランジ２７が設けられている。したがって、バッグの縁部をフランジ上に引き込むことができ、これを管片２６に固定し、同時に密封することができる。
【００４５】
図７ｃに示したように、フランジ２７の縁部には切り込み２８が設けられている。切り込みは、バッグが引き込まれる際にバッグの縁部に開口を形成し、乳汁が流入する際に圧力を均衡にするために、この開口を通ってバッグから空気が逃げることができる。
【００４６】
図７ｄに示したように、フランジには、雌ねじ山を有したねじ山付加部２９が設けられており、この雌ねじ山には、詳しくは図示されていない瓶の雄ねじ山をねじ込むことができる。
【００４７】
図８、図９、図１１、および図１２に示したような乳児口腔シミュレータ７は、収容室９の外面に突出スリーブ１９が設けられているように構成されており、この突出スリーブ内に手２の指１の少なくとも一部を入れることができる。このような突出スリーブ１９によって、女性の乳房８または乳輪１４を、手２の指１で収容室９の壁２０を通して軽く取り囲むことができ、搾乳をもたらす手動の搾乳圧を乳輪および隣接する領域に指で加えることができる。
【００４８】
突出スリーブ１９内には、手２の少なくとも指先１を入れることができ、この場合、突出スリーブ１９は、収容室９を取り囲んでいる。
【００４９】
図１１および図１２に示した実施例では、搾乳カフ１２または収容室９の壁２０と比較して剛性の材料から成る、収容室９内に差込み可能な乳首保護体２１が設けられている。このような乳首保護体２１は、既に上述した補強リング１８と同様に、過剰に強力な搾乳運動から乳首３を保護する。外側の突出スリーブ１９を備えた立て指法のために設けられている乳児口腔シミュレータ７では、固定された補強リング１８の取り付けが有利ではないので、乳首保護体２１はこのような乳児口腔シミュレータにおいて使用可能である。
【００５０】
乳首保護体２１は、収容室９内に密に差し込むことができ、この場合、シールカフ１５が乳首保護体２１に接続されている。
【００５１】
図１３に示したように、収容室９には、捕捉容器２２を接続することができる。このような捕捉容器２２内には、搾乳された乳汁が流入することができる。この場合、捕捉容器２２には、特に手の関節に取り付けるためのアームバンド２３を設けることができる。捕捉容器２２と収容室９との接続は、螺合または差込み接続により実現することができる。
【００５２】
少量の乳汁のためには、収容室９をクロージャによって閉鎖することもできる。この場合、弁１１を省くこともできる。
【００５３】
図１４には、収容室９を捕捉容器２２に接続する別の実施形態が示されている。乳児口腔シミュレータの構造は、基本的に図５の構造に相当する。しかしながらこの場合、開口１０は、壁２０の、搾乳カフとは反対の側に配置されており、壁２０の外面は、少なくとも開口１０に隣接する領域３０で円錐状に形成されている。
【００５４】
図１５に示したように、この領域３０は、従来の搾乳ポンプの堅固な漏斗３２，３３および３４の収容開口３１内に差し込むために用いられる。
【００５５】
この実施形態では、電動の搾乳ポンプ（図示せず）によって負圧が生成される。本発明を使用しない搾乳ポンプでは、通常、カラー３３が乳首３の領域に載着される。本発明により、本発明による乳児口腔シミュレータ７が、「介在される」。母親は、ポンプによる搾乳過程中にアダプタ３２を介して、乳児口腔シミュレータ７によって、乳房を刺激し、マッサージし、同時に搾乳指運動を行うことができる。内側のカフ１５は、電気的に生成された負圧を乳房に対してシールするために機能する。外側のカフ１６は、乳房にアダプタ３２を固定するために機能し、指の搾乳運動を可能にする。乳首保護リング１８は、乳首領域を開放状態に保持し、ひいては、痛み軽減のために、かつ乳汁排出強化のために乳首を広げるために、機能する。
【００５６】
図１６には、差込みアダプタ３５の実施形態が示されている。差込みアダプタは、乳児口腔シミュレータの開口１０内に差込み可能な差込み管３６を有している。差込み管３６は貫通孔を備え、差込み管３６には差込み部材３７が設けられており、差込み部材の外面にはリングシール３８が設けられている。差込み部材３７を相応に構成することにより、乳児口腔シミュレータを、別のメーカーの捕捉容器２２に接続することができ、したがって、普遍的な使用を可能にする。ここには図示されていない形態では、装着部材が、別のメーカーのポンプセットのホース接続部３９内に差し込むことができるように形成されている。
【００５７】
図１７には、図１５に既に示したような搾乳ポンプに組付けることができる、乳児口腔シミュレータ７、および差込みアダプタ３５の装着が示されている。この場合、差込み部材は、カラー３３の開口に互換性があり、ここに差し込むことができるように構成された。
【００５８】
図１８には、少量の乳汁用の乳児口腔シミュレータ７が示されている。この図では、収容室９には開口１０は示されていない。このような乳児口腔シミュレータでは、シールカフ１５が乳房上に載着されて、軽く圧縮され、これにより負圧が生じ、固定カフ１６によって固定される。搾乳カフ１２を介した搾乳運動および負圧により流出した乳汁は、簡単に収容室９内に捕捉される。収容室が充填され、それ以上搾乳が行われないならば、乳児口腔シミュレータ７を取り外し、収容室９は空にされる。
【符号の説明】
【００５９】
１  指先、指
２  手
３  乳首
４  半径方向線
５  接線
６  軸線
７  乳児口腔シミュレータ
８  乳房
９  収容室
１０  開口
１１  弁
１２  搾乳カフ
１３  柔軟な部分
１４  乳輪
１５  内側のシールカフ
１６  固定カフ
１７  シールリップ
１８  補強リング
１９  突出スリーブ
２０  壁
２１  乳首保護体
２２  捕捉容器
２３  アームバンド
２４  第１の領域
２５  第２の領域
２６  管片
２７  フランジ
２８  切り込み
２９  ねじ山付加部
３０  領域
３１  収容開口
３２  アダプタ
３３  カラー
３４  ねじ山付加部
３５  差込みアダプタ
３６  差込み管
３７  差込み部材
３８  リングシール
３９  ホース接続部
【図１】
0006938768.tif 000002
【図２】
0006938768.tif 000003
【図３】
0006938768.tif 000004
【図４】
0006938768.tif 000005
【図５】
0006938768.tif 000006
【図６】
0006938768.tif 000007
【図７】
0006938768.tif 000008
【図７ａ】
0006938768.tif 000009
【図７ｂ】
0006938768.tif 000010
【図７ｃ】
0006938768.tif 000011
【図７ｄ】
0006938768.tif 000012
【図８】
0006938768.tif 000013
【図９】
0006938768.tif 000014
【図１０】
0006938768.tif 000015
【図１１】
0006938768.tif 000016
【図１２】
0006938768.tif 000017
【図１３】
0006938768.tif 000018
【図１４】
0006938768.tif 000019
【図１５】
0006938768.tif 000020
【図１６】
0006938768.tif 000021
【図１７】
0006938768.tif 000022
【図１８】
0006938768.tif 000023